(57)【要約】【課題】本発明は、単一、あるいは少数の光源であっても、先端工具の影が生じないようにすることを目的とする。【解決手段】本発明に係る電動工具は、先端工具を保持する軸体２７を軸心回りに回転可能に支持するハウジング１２に照明ユニット３０が取付けられている電動工具であって、照明ユニット３０は、ハウジング１２の先端を半径方向外側から囲んだ状態で、そのハウジング１２に取付けられており、一方向から照射された光により面全体が発光可能な光透過性の面発光部材３２と、面発光部材３２に対して光を照射可能な単一、あるいは少数の光源３４とを有している。【選択図】図１
2009214239.tif 000002
【特許請求の範囲】
【請求項１】
先端工具を保持する軸体を軸心回りに回転可能に支持するハウジングに照明ユニットが取付けられている電動工具であって、
前記照明ユニットは、
前記ハウジングの先端を半径方向外側から囲んだ状態で、そのハウジングに取付けられており、一方向から照射された光により面全体が発光可能な光透過性の面発光部材と、
前記面発光部材に対して光を照射可能な単一、あるいは少数の光源と、
を有することを特徴とする電動工具。
【請求項２】
請求項１に記載された電動工具であって、
前記面発光部材は、樹脂によりリング状に形成されていることを特徴とする電動工具。
【請求項３】
請求項２に記載された電動工具であって、
前記光源は、前記面発光部材の外周面の円周方向における一部であって、電動工具のトリガスイッチ側に位置する入光面からその面発光部材に対して半径方向内側に光を照射できるように、前記ハウジングに取付けられていることを特徴とする電動工具。
【発明の詳細な説明】
【技術分野】
【０００１】
本発明は、手持ち状態でネジ締め等の作業が可能な電動工具に関する。
【背景技術】
【０００２】
上記した電動工具では、暗い場所における作業性を考慮して照明を付加したものが提案されている。
特許文献１に記載の電動工具１００は、図４に示すように、ハウジング１０１の上部にＬＥＤによる照明１０３が設けられている。このため、照明１０３を使用する際、先端工具１０５の下面側が影となり、目線よりも高い位置のネジ締め等を行なう場合に、前記影が邪魔になる。
これに対し、先端工具１０５の周囲に多数の照明を設け、その先端工具１０５の影が生じないようにした技術が特許文献２に記載されている。
また、リング状に形成された導光板の周囲に多数のＬＥＤ素子を円周方向に等間隔で配置し、前記導光板の全体が光るようにした無影リング等も提案されている。
【０００３】
【特許文献１】特開２００２−３０７３２６号公報
【特許文献２】特開平６−２４６６４５号公報
【発明の開示】
【発明が解決しようとする課題】
【０００４】
しかし、先端工具１０５の周囲に多数の照明を設ける構成、あるいは無形リング等を使用する構成では、コストアップになり、現実的ではない。
【０００５】
本発明は、上記問題点を解決するためになされたものであり、本発明が解決しようとする課題は、光源が単一、あるいは少数の場合であっても、先端工具の影が生じないようにすることである。
【課題を解決するための手段】
【０００６】
上記した課題は、各請求項の発明によって解決される。
請求項１の発明は、先端工具を保持する軸体を軸心回りに回転可能に支持するハウジングに照明ユニットが取付けられている電動工具であって、前記照明ユニットは、前記ハウジングの先端を半径方向外側から囲んだ状態で、そのハウジングに取付けられており、一方向から照射された光により面全体が発光可能な光透過性の面発光部材と、前記面発光部材に対して光を照射可能な単一、あるいは少数の光源とを有することを特徴とする。
【０００７】
本発明によると、ハウジングには、そのハウジングの先端を半径方向外側から囲んだ状態で面発光部材が取付けられている。さらに、面発光部材は一方向から照射された光により面全体が発光可能に構成されている。このため、単一、あるいは少数の光源から照射された光により面発光部材の面全体が発光するようになる。これにより、先端工具に対して面発光部材の光が周囲から当たるようになり、前記先端工具の影が生じなくなる。
即ち、光源が単一、あるいは少数であっても、先端工具の影が生じることはない。
【０００８】
請求項２の発明によると、面発光部材は、樹脂によりリング状に形成されていることを特徴とする。
面発光部材は樹脂製であるため加工が容易である。また、リング状に形成されているため、円周方向に均等に光を発光させることができる。
【０００９】
請求項３の発明によると、光源は、面発光部材の外周面の円周方向における一部であって、電動工具のトリガスイッチ側に位置する入光面からその面発光部材に対して半径方向内側に光を照射できるように、前記ハウジングに取付けられていることを特徴とする。
即ち、光源を電動工具のトリガスイッチ側に配置できるため、電動工具のハウジングを小径化しても光源用の配線スペースを確保し易くなる。
【発明の効果】
【００１０】
本発明によると、光源が単一、あるいは少数であっても、先端工具の影が生じることはない。
【発明を実施するための最良の形態】
【００１１】
（実施形態１）
以下、図１から図３に基づいて、本発明の実施形態１に係る電動工具の説明を行なう。本実施形態に係る電動工具はインパクトドライバであり、図１は前記インパクトドライバの一部破断側面図、図２は図１のII-II矢視図である。また、図３は変更例に係るインパクトドライバの先端部分の縦断面図である。
【００１２】
＜電動工具の概要について＞
本実施形態に係る電動工具のハウジング１０は、図１に示すように、筒状の本体部１２と、その本体部１２の側部（図１では下部）から突出するように形成されたグリップ部１５とから構成されている。グリップ部１５には、使用者が指先で引き操作するトリガスイッチ１５ｒが設けられている。
ハウジング１０の本体部１２には、後側から順番にモータ２０、遊星歯車機構２４、スピンドル２５、打撃力発生機構２６、及びアンビル２７が同軸に収納されている。モータ２０は、電動工具の駆動源であり、そのモータ２０の回転が遊星歯車機構２４によって減速された後、スピンドル２５に伝達される。そして、スピンドル２５の回転力が打撃力発生機構２６によって回転打撃力に変換され、アンビル２７に伝えられる。アンビル２７は、回転打撃力を受けて軸回りに回転する部分であり、ハウジング１０の本体部１２の先端部分に設けられた軸受１２ｊによって、軸回りに回転自在、かつ軸方向に変位不能に支持されている。
アンビル２７の先端部には、先端工具であるドライバビットやソケットビット等（図示省略）を装着するためのチャック部２７ｔが設けられている。
【００１３】
＜照明ユニットについて＞
ハウジング１０の本体部１２（以下、ハウジング１２という）の先端部分には、リング状の段差部１４が前記軸受１２ｊと同軸に形成されており、その段差部１４より先端側に前記軸受１２ｊが収納される円筒状の軸受支持部１３が形成されている。そして、ハウジング１２の軸受支持部１３を半径方向外側から囲んで照明ユニット３０が取付けられている。即ち、前記アンビル２７が本発明の軸体に相当する。
照明ユニット３０は、面発光部材３２と、ＬＥＤ３４と、ＬＥＤ用基板３６等から構成されている。
面発光部材３２は、一方向から照射された光で面全体が発光するように構成された光透過性部材であり、例えば、アクリル板により構成されている。面発光部材３２は、図１、図２に示すように、リング状に成形されて、ハウジング１２の段差部１４と軸受支持部１３の外周面により画成される窪み部分に嵌め込まれるように構成されている。即ち、面発光部材３２はアンビル２７（軸体）と同軸に保持される。面発光部材３２の外周面は、ハウジング１２の表面と連続するように緩やかに面取りされており、円周方向における一ケ所が面取りされずに、図２に示すように、突起３２ｔとして残されている。そして、面発光部材３２の突起３２ｔにおける外周面の一部が平面状に形成されて入光面３２ｃとなっている。
【００１４】
面発光部材３２は、前記入光面３２ｃが下端側（トリガスイッチ１５ｒ側）になるように、ハウジング１２に固定されている。ハウジング１２には、図１に示すように、トリガスイッチ１５ｒの上方位置から前方に延びて、面発光部材３２の入光面３２ｃの部分を下方から覆う下側ケース部１２ｄが設けられている。そして、前記下側ケース部１２ｄの前端位置に、平板状のチップＬＥＤ３４がＬＥＤ用基板３６に接続された状態で収納されている。チップＬＥＤ３４は、面発光部材３２の入光面３２ｃと面接触状態で位置決めされており、前記面発光部材３２に対して半径方向内側に光を照射できるように構成されている。
即ち、前記チップＬＥＤ３４が本発明の光源に相当する。
チップＬＥＤ３４の配線３６ｃは、ハウジング１２の下側ケース部１２ｄを介してグリップ部１５内に導かれ、そのグリップ部１５の下部に設けられた電気回路（図示省略）に接続されている。前記電気回路は、トリガスイッチ１５ｒが引かれてモータ２０が回転する際、同時にチップＬＥＤ３４を点灯できるように構成されている。なお、前記電気回路には、制御部が設けられており、トリガスイッチ１５ｒが戻されたあとも、一定時間、チップＬＥＤ３４の点灯を維持できるように構成されている。
【００１５】
＜本実施形態に係る電動工具の長所について＞
本実施形態に係る電動工具によると、ハウジング１２には、そのハウジング１２の先端を半径方向外側から囲んだ状態で面発光部材３２が取付けられている。さらに、面発光部材３２は一方向から照射された光により面全体が発光可能に構成されている。このため、単一のチップＬＥＤ３４の光で面発光部材３２の面全体が発光する。これにより、先端工具に対して面発光部材の光が周囲から当たるようになり、前記先端工具の影が生じなくなる。
即ち、光源が一つの場合であっても、先端工具の影が生じない。
また、前記面発光部材３２はアクリル製（樹脂製）であるため加工が容易である。さらに、面発光部材３２はリング状に形成されているため、円周方向に均等に光を発光させることができる。
また、チップＬＥＤ３４を電動工具のトリガスイッチ側（ハウジング１２の下側）に配置できるため、電動工具のハウジングを小径化しても光源用の配線スペースを確保し易くなる。
【００１６】
＜変更例＞
ここで、本発明は上記実施形態に限定されるものではなく、本発明の要旨を逸脱しない範囲における変更が可能である。例えば、本実施形態では、平板状のチップＬＥＤ３４を使用する例を示したが、図３に示すように、足状の端子を備える通常のＬＥＤ３４ｘを使用することも可能である。
また、本実施形態では、単一のＬＥＤ３４，３４ｘを使用する例を示したが、照明の明るさを強くするため、少数（例えば、２、３個）のＬＥＤ３４，３４ｘを使用する構成も可能である。
また、本実施形態では、電動工具としてインパクトドライバを例示したが、インパクトドライバ以外の電動工具に本発明を適用することも可能である。
【図面の簡単な説明】
【００１７】
【図１】本実施形態に係る電動工具であるインパクトドライバの一部破断側面図である。
【図２】図１のII-II矢視図である。
【図３】変更例に係るインパクトドライバの先端部分の縦断面図である。
【図４】従来の電動工具において照明を使用した作業を表す模式斜視図である。
【符号の説明】
【００１８】
１２・・・ハウジング
２７・・・アンビル（軸体）
３０・・・照明ユニット
３２・・・面発光部材
３２ｃ ・・入光面
３４・・・チップＬＥＤ（光源）
３４ｘ・・ＬＥＤ（光源）
【図１】
2009214239.tif 000003
【図２】
2009214239.tif 000004
【図３】
2009214239.tif 000005
【図４】
2009214239.tif 000006